(57)【要約】【課題】釣りにおける水中カメラは、釣り仕掛けと一体もしくは、非一体のシステムが考案されていたが、データ送信ケーブルを用いているため、非一体の場合において水中でのカメラの配置が困難や、一体の場合でも遠投に不向き等大きな問題があった。【解決手段】本発明は、カメラ本体内にデータ記録用電子記憶媒体を内蔵し、カメラ本体上下に仕掛け取り付けリングを設けることで、データ送信用ケーブルを用いず、従来の釣り仕掛けにそのまま接続することで遠投が出来、常に水中で仕掛け周辺のビデオ動画データを取得する。  そして取得したビデオ動画データは、カメラを水中より引き上げた時に、無線ＬＡＮもしくは、ＵＳＢデータ送信にて手持ちの携帯電話や携帯情報端末又は、コンピュータへ転送し確認が出来る水中ビデオカメラを提供する。【選択図】図４
2013121344.tif 000002
【特許請求の範囲】
【請求項１】
ビデオカメラハウジング本体（１）の上下に仕掛け取り付けリング（２）とカメラレンズ（３）、ＬＥＤ発光ダイオードレンズ（４）を設けた釣り用無線ＬＡＮ対応小型水中ビデオカメラ。
【請求項２】
ビデオカメラハウジング本体（１）の内部に無線ＬＡＮ（５）、ＵＳＢポート（６）、充電式電池（７）、固体撮像素子（８）、メモリーカードスロット（９）、メモリーカード（１０）、ＬＥＤ発光ダイオード（１１）、防水Ｏ−リングパッキン（１２）、デジタルシグナルプロセッサ（１３）、マイクロプロセッサ（１４）、レギュレータ（１５）、アナログフロントエンド（１６）、充電器（１７）、半導体記憶素子（１８）を設けた請求項１の釣り用無線ＬＡＮ対応小型水中ビデオカメラ。
【請求項３】
撮影開始及び停止、無線ＬＡＮによる映像データ転送を行うリモートコントローラ（１９）を設けた請求項１又は請求項２の釣り用無線ＬＡＮ対応小型水中ビデオカメラ。
【発明の詳細な説明】
【技術分野】
【０００１】  本発明は、釣りの仕掛けに取り付け、水中の仕掛けの周辺をビデオ動画データとして保存し、内蔵無線ＬＡＮ又はＵＳＢを用いて携帯電話や携帯情報端末、コンピュータにデータ転送が可能な無線ＬＡＮ対応小型水中ビデオカメラに関するものである。
【背景技術】
【０００２】  従来、魚釣りをする場合において、水中の仕掛け先端（釣り針）の周辺状況を目視することは困難で、それを実現する為に水中カメラを用いた手段が考案された。
例えば、釣り仕掛けとは別にデータ送信ケーブル付水中カメラを用いて仕掛け周辺の映像を手元のモニターで確認する魚体確認装置（特許文献１）や、釣り仕掛けと水中カメラが一体となった水中カメラ（特許文献２）が知られている。
【先行技術文献】
【０００３】
【特許文献１】特許公開平１０−２７６６４４号公報
【特許文献２】特許公開２００８−２１２０６０号公報
【発明の概要】
【発明が解決しようとする課題】
【０００４】  上記の方法の場合、次のような欠点があった。
（イ）、水中カメラのデータ送信ケーブルと、釣り仕掛けの道糸の太さの違い等により海流等流れのある場所では、直径の太いケーブルは流れの抵抗により仕掛け周辺に配置するのは非常に困難である。
（ロ）、仕掛けを遠投した場合、仕掛けの周辺に水中カメラを投げ込む事は非常に困難である。
（ハ）、魚が釣れた場合、仕掛けがデータ送信ケーブルに絡んでしまう問題がある。
（ニ）、釣り糸とデータ送信ケーブルが一体となっていると市販されている釣り竿やリールが使用出来ない。
本発明は、以上の問題点を解決するために発明されたものである。
【課題を解決する為の手段】
【０００５】  ビデオカメラハウジング本体（１）の上下に仕掛け取り付けリング（２）とカメラレンズ（３）、ＬＥＤ発光ダイオードレンズ（４）を設け、内部に無線ＬＡＮ（５）、ＵＳＢポート（６）、充電式電池（７）、固体撮像素子（８）、メモリーカードスロット（９）、メモリーカード（１０）、ＬＥＤ発光ダイオード（１１）、防水Ｏ−リングパッキン（１２）、デジタルシグナルプロセッサ（１３）、マイクロプロセッサ（１４）、レギュレータ（１５）、アナログフロントエンド（１６）、充電器（１７）、半導体記憶素子（１８）を設ける。
【０００６】  撮影開始及び停止、ビデオ動画データ転送、ＬＥＤ発光ダイオード（１１）点灯を行うリモートコントローラ（１９）図７を設ける。
以上の構成よりなる釣り用無線ＬＡＮ対応小型水中ビデオカメラである。
【発明の効果】
【０００７】  本発明を使用することによって、ビデオカメラをデータ送信ケーブル無しに、直接釣りの仕掛けに取り付けられるため、常に水中の仕掛け周辺の録画が可能で、遠投にも問題なく対応出来、魚が掛かった場合でも従来通りの取り込みで仕掛けと水中ビデオカメラが絡む事もない。
また本発明は、ビデオカメラを水中から引き揚げた時に、その場で無線ＬＡＮもしくはＵＳＢ接続により手持ちの携帯電話や携帯情報端末、又はコンピュータにビデオ動画データを転送し確認を行うことが可能である。
【図面の簡単な説明】
【０００８】
【図１】本発明の斜視図
【図２】本発明の断面図
【図３】本発明のビデオカメラハウジングを開けた分解正面図
【図４】本発明の使用状態の一部拡大図
【図５】本発明の使用状態斜視図
【図６】本発明の使用状態斜視図
【図７】本発明のリモコンを使用する状態の斜視図
【図８】本発明のビデオカメラの構成を示す概略ブロック図
【発明を実施するための形態】
【０００９】  以下、本発明を実施する為の最良の形態について説明する。
【００１０】  図１に示す通り、略円筒状からなるビデオカメラハウジング本体（１）の上端及び、下端に釣りの仕掛けに接続する仕掛け取り付けリング（２）を設け、下部にカメラレンズ（３）、ＬＥＤ発光ダイオードレンズ（４）を設ける。
【００１１】  図４に示す通り、ビデオカメラハウジング下部（１Ｂ）側のカメラレンズ（３）は、釣り仕掛の先端部、つまり釣り針が付いている範囲を被写体として捉えるため下側の配置となっている。
【００１２】  図２、図８に示す通り、被写体はカメラレンズ（３）を介して固体撮像素子（８）により光信号として検出されアナログフロントエンド（１６）により正規化され、デジタルシグナルプロセッサ（１３）とマイクロプロセッサ（１４）、及び半導体記憶素子（１８）によりデジタル信号処理し、メモリーカード（１０）にて、ビデオ動画データを保存する。
【００１３】  メモリーカード（１０）はメモリーカードスロット（９）により取り外し可能とする。
【００１４】  ＵＳＢポート（６）は、メモリーカード（１０）に保存されたビデオ動画データを、市販のＵＳＢケーブルを介し、携帯電話や携帯情報端末、又はコンピュータに転送し、又、充電式電池（７）に充電器（１７）を介し、電気を充電する為のポートとなる。
【００１５】  システムを駆動する為の電力は、充電式電池（７）より供給され、レギュレータ（１５）により一定の電流、電圧に制御される。
【００１６】  無線ＬＡＮ（５）は、図７の付属のリモートコントローラ（１９）により録画の開始や停止信号を受け、又、ビデオ動画データを携帯電話や携帯情報端末又は、コンピュータに転送する。
【００１７】  ＬＥＤ発光ダイオード（１１）はＬＥＤ発光ダイオードレンズ（４）を介し、夜の暗い水中で点灯する。
【００１８】  図３に示す通り、ビデオカメラハウジング本体（１）はビデオカメラハウジング上部（１Ａ）とビデオカメラハウジング下部（１Ｂ）の構成から成り、スクリューキャップ式で脱着可能であり、ＵＳＢポート（６）を用いてデータ送信及び、充電式電池（７）の充電を行う。開閉部からの水の浸入を防ぐため、ビデオハウジング下部（１Ｂ）の開閉部凸側に防水の為の防水Ｏ−リングパッキン（１２）を設ける。
【００１９】  図４に示す通り、カメラレンズ（３）側を下に向け、ビデオカメラハウジング本体（１）の上下の仕掛け取り付けリング（２）に釣り仕掛けを接続する。
【００２０】  図７に示す通り、録画開始や停止、無線ＬＡＮ通信でのデータ転送を行うためのリモートコントローラ（１９）を用いて、録画開始ボタン（２０）で録画開始、録画停止ボタン（２１）で録画停止、転送ボタン（２２）でビデオ動画データの転送、ＬＥＤ発光ダイオード点灯ボタン（２３）でＬＥＤ発光ダイオード（１１）の点灯、消灯を行う。
【実施例】
【００２１】  本発明は以上の構成からなり、本発明を使用する時は図４に示す通り、ビデオカメラハウジング本体（１）の上部の仕掛け取り付けリング（２）に道糸（竿側の釣り糸）を結び、下側の仕掛け取り付けリング（２）には釣り針が付いている側の仕掛けを結ぶ。【００２２】  図５、６に示すように、従来のボート釣りや、陸からの釣りを行い仕掛け先端周辺の映像を録画する。【００２３】  ビデオ録画及び停止、ビデオ動画データの無線ＬＡＮ転送は図７のリモートコントローラ（１９）を使用する。【００２４】  ビデオカメラを水中から引き揚げた後、無線ＬＡＮ（５）で録画画像データを送信もしくは、ビデオカメラハウジング上部（１Ａ）を取り外し、ＵＳＢポート（６）に市販のＵＳＢケーブルを介してビデオ動画データを携帯電話や携帯情報端末又は、コンピュータに転送し映像を確認する。【００２５】  充電式電池（７）の充電は図３に示すように、ビデオカメラハウジング上部（１Ａ）とビデオカメラハウジング下部（１Ｂ）がスクリューキャップ式で開閉が可能なので開けて、ＵＳＢポート（６）を市販のＵＳＢケーブルを用いてコンピュータや小型充電器のＵＳＢポートに接続し充電を行う。
【符号の説明】
【００２６】  １  ビデオカメラハウジング本体
１Ａ  ビデオカメラハウジング上部
１Ｂ  ビデオカメラハウジング下部
２  仕掛け取り付けリング
３  カメラレンズ
４  ＬＥＤ発光ダイオードレンズ
５  無線ＬＡＮ
６  ＵＳＢポート
７  充電式電池
８  固体撮像素子
９  メモリーカードスロット
１０  メモリーカード
１１  ＬＥＤ発光ダイオード
１２  防水Ｏ−リングパッキン
１３  デジタルシグナルプロセッサ
１４  マイクロプロセッサ
１５  レギュレータ
１６  アナログフロントエンド
１７  充電器
１８  半導体記憶素子
１９  リモートコントローラ
２０  録画開始ボタン
２１  録画停止ボタン
２２  転送ボタン
２３  ＬＥＤ発光ダイオード点灯ボタン
【図１】
2013121344.tif 000003
【図２】
2013121344.tif 000004
【図３】
2013121344.tif 000005
【図４】
2013121344.tif 000006
【図５】
2013121344.tif 000007
【図６】
2013121344.tif 000008
【図７】
2013121344.tif 000009
【図８】
2013121344.tif 000010